(57)【要約】【課題】  たとえ帯電ローラの周面に異物の付着があっても、感光体ドラム周面に帯電ムラが発生することを確実に防止することができるようにする。【解決手段】  ドラム軸１３１ｂ回りに回転する感光体ドラム１３１の周面に当接した状態で当該感光体ドラム１３１の周面に帯電処理を施す帯電ローラ１３２と、感光体ドラム１３１の帯電ローラ１３２より上流側に設けられて当該感光体ドラム１３１の帯電状態を除電する除電ランプ１３７とを備えてなるプリンタ１０において、感光体ドラム１３１における除電ランプ１３７の上流側に設けられ当該感光体ドラム１３１の周面に当接して当該周面に帯電ローラ１３２と同一極性の電圧を印加する導電性ブラシ２０と、導電性ブラシ２０を感光体ドラム１３１の周面の移動方向と直交する方向でかつ周面と平行な方向に向けて往復動させる往復動機構３０とを備えている。【選択図】      図３
2006330453.tif 000002
【特許請求の範囲】
【請求項１】
回転または周回する感光体の表面に当接した状態で当該感光体の表面に帯電処理を施す帯電ローラと、前記感光体の前記帯電ローラより上流側に設けられて当該感光体の帯電状態を除電する除電手段とを備えてなる画像形成装置であって、
前記感光体における前記除電手段の上流側に設けられ当該感光体の表面に当接して当該表面に前記帯電ローラと同一極性の電圧を印加する事前電圧印加部材と、
前記事前電圧印加部材を前記感光体の表面の移動方向と直交する方向でかつ前記表面に沿って往復動させる往復動機構とを備えていることを特徴とする画像形成装置。
【請求項２】
前記感光体は、同心で設けられた所定のドラム軸回りに回転する感光体ドラムであることを特徴とする請求項１記載の画像形成装置。
【請求項３】
前記事前電圧印加部材は、所定のブラシ軸に同心かつ密集状態で植設されたブラシ毛を有する円筒状の導電性ブラシであり、この導電性ブラシは、前記ブラシ軸回りに駆動回転するように構成されていることを特徴とする請求項２記載の画像形成装置。
【請求項４】
前記事前電圧印加部材は、所定のブラシ軸の長手方向に延びる一面の略全面に亘って植設されたブラシ毛を有する導電性ブラシであり、この導電性ブラシは、前記ブラシ毛が感光体ドラムの表面に摺接するように構成されていることを特徴とする請求項２記載の画像形成装置。
【請求項５】
前記往復動機構は、前記ブラシ軸の一方の端部に同心で一体的に結合され外方側面がブラシ軸の軸心方向に対して傾斜した傾斜面を有するカム円盤と、前記ブラシ軸の他方の端部に設けられてブラシ軸を前記カム円盤の方向に向けて付勢する付勢手段と、前記ブラシ軸の軸心方向に対する移動が規制された状態で前記カム円盤の傾斜面に当接する当接片とを備えて構成されていることを特徴とする請求項３または４記載の画像形成装置。
【請求項６】
前記帯電ローラに電圧を印加する電源装置が設けられ、前記電源装置と前記帯電ローラとの間には、帯電ローラに供給される電流の値を一定に制御する定電流制御回路が介設されていることを特徴とする請求項１乃至５のいずれかに記載の画像形成装置。
【発明の詳細な説明】
【技術分野】
【０００１】
本発明は、感光体の表面に当接した状態で当該感光体の表面に帯電処理を施す帯電ローラと、感光体の前記帯電ローラより上流側に設けられて当該感光体の帯電状態を除電する除電手段とを備えてなる、複写機やファクシミリ装置さらにはプリンタ等として好適な画像形成装置に関するものである。
【背景技術】
【０００２】
従来、特許文献１に記載されているような画像形成装置が知られている。この画像形成装置は、所定のドラム軸回りに回転している感光体ドラムの周面に帯電ローラを介してバイアス電圧を印加することにより同周面を一様に帯電させるようになっている。この一様に帯電した感光体ドラムの周面に画像情報に基づくレーザー光線が照射されることにより帯電状態が解消した静電潜像が形成され、この静電潜像に向けてトナーを供給することによってトナー像を形成させるようになっている。このトナー像は、転写ローラによって逆極性の電荷が形成された用紙に静電気的に吸着され、これによって感光体ドラム周面のトナー像が用紙に転写されるようになされている。
【０００３】
転写処理後の感光体ドラムの周面は、所定のクリーニング装置によって残留トナーが取り除かれ後、次の画像形成処理のための帯電処理が帯電ローラによって施されるようになされている。
【０００４】
そして、このような特許文献１記載の画像形成装置にあっては、帯電ローラの周面を清浄化処理するためのブラシローラが設けられ、このブラシローラの回転によるブラシ毛のブラシローラ周面への摺擦で帯電ローラの周面をクリーニング処理するようになされている。
【０００５】
かかる方策を採用することによってたとえ帯電ローラの周面にクリーニング装置によって感光体ドラムの周面から取り除き得なかった残留トナーや微細な外添剤が帯電ローラの周面に移行しても、ブラシローラによって取り除かれるため、帯電ローラの周面の電荷が不均一になることが防止され、これによって帯電ムラに起因した出力画像の画質低下が防止される。
【０００６】
しかしながら、感光体ドラムのトナー像を用紙に転写するに際しては、トナー像の電荷と逆極性の電荷が転写ローラを介して用紙に付与され、これによって感光体ドラムの周面に形成されたトナー像を静電気的に引き剥がして用紙に移行させるようになされているため、この逆極性の電荷が感光体ドラムの周面に印加されてしまう、いわゆる転写メモリが形成されるが、この転写メモリまでもを帯電ローラによって取り除くことができず、結果として感光体ドラムの周面に帯電ムラが形成されるという不都合が存在した。
【０００７】
かかる不都合を解消するものとして、特許文献２に記載された画像形成装置を挙げることができる。すなわち、特許文献２のものは、直流電圧あるいは直流と交流との重畳電圧が印加される帯電ローラ（一次帯電ローラ）の上流側に除電器としての露光ランプを設けるとともに、この露光ランプのさらに上流側にもう一つの帯電ローラ（前帯電ローラ）を設け、一旦、前帯電ローラで感光体ドラムの周面に一次帯電ローラと同一極性でかつ同一の値の直流電圧、あるいは同一極性でかつ同一の値の重畳電圧を印加し、引き続き露光ランプで電荷を消去した後、一次帯電ローラで感光体ドラムの周面に電荷を付与するようになされている。
【０００８】
かかる方策を採用することにより、前帯電ローラで感光体ドラムの逆電荷が一旦相殺された後、除電ランプで電荷が消去され、しかる後に再び一次帯電ローラによって所定の電荷が感光体ドラムの周面に付与されるため、感光体ドラムの周面の帯電ムラを有効に防止することができる。
【特許文献１】特開平４−６０６６０号公報
【特許文献２】特開平６−８３２４９号公報
【発明の開示】
【発明が解決しようとする課題】
【０００９】
しかしながら、特許文献２のものにあっては、たとえ前帯電ローラで感光体ドラムの周面の逆電荷が消去されても、同周面に付着しているトナーや異物（トナーに添加された外添剤としての磁性微細粒子等）が確実に除去されていない場合には、これらが一次帯電ローラの周面に移行し、これによって帯電ローラ周面の電気的な特性が不均一になるため、感光体ドラムの周面に均一な電荷を付与することができず、これによって感光体ドラム周面の帯電ムラを確実になくすことができないという問題点が存在する。
【００１０】
本発明は、かかる従来の問題点を解消するためになされたものであり、たとえ帯電ローラの周面に異物の付着があっても、感光体ドラム周面に帯電ムラが発生することを確実に防止することができる画像形成装置を提供することを目的としている。
【課題を解決するための手段】
【００１１】
本発明は、感光体の表面に生じる帯電ムラの発生原因を追及し、その生成メカニズムを解明したことによって得られたものである。すなわち、従来、帯電ムラは、帯電ローラの表面にクリーニング装置でブレードと感光体表面との間をすり抜けることにより除去し得なかったサブミクロンオーダの外添剤、具体的にはトナーに混入されるシリカやチタン等の異物が付着することにより生じると考えられていたが、種々の試験を行った結果、たとえ帯電ローラの周面に異物が付着していても、異物の付着状態が均一な場合には帯電ローラによる放電安定性を維持することができ、これによって感光体の表面に帯電ムラが生じないことを見出した結果得られたものである。
【００１２】
そして、かかる観点から得られた請求項１記載の発明は、回転または周回する感光体の表面に当接した状態で当該感光体の表面に帯電処理を施す帯電ローラと、前記感光体の前記帯電ローラより上流側に設けられて当該感光体の帯電状態を除電する除電手段とを備えてなる画像形成装置であって、前記感光体における前記除電手段の上流側に設けられ当該感光体の表面に当接して当該表面に前記帯電ローラと同一極性の電圧を印加する事前電圧印加部材と、前記事前電圧印加部材を前記感光体の表面の移動方向と直交する方向でかつ前記表面に沿って往復動機構とを備えていることを特徴とするものである。
【００１３】
かかる構成によれば、回転または周回している感光体の表面には、当接している帯電ローラから電圧が印加された後に露光が行われるため、感光体の表面に順次静電潜像が形成される。この静電潜像にトナーが供給されてトナー像が形成され、このトナー像は、所定の用紙に転写処理される。
【００１４】
転写処理後の感光体の表面は、所定のクリーニング装置でクリーニング処理が施された後、往復動機構によって感光体の表面の移動方向と直交する方向でかつ同表面と平行な方向に向けて往復動している事前電圧印加部材によって帯電ローラと同一極性の電圧が印加され、これによって感光体の表面は、一旦帯電ローラによる電圧印加に先立って帯電処理が施され、たとえ逆極性の転写メモリが形成されていてもこの転写メモリは相殺されることになる。引き続き感光体の表面は、除電手段によって除電処理が施された後、再度帯電ローラによって次の潜像形成に向けた一様な帯電処理が施される。
【００１５】
そして、事前電圧印加部材が往復動機構によって感光体の移動方向と直交する方向に向けて往復動し、これによってたとえ感光体の表面に異物が付着していても、この異物は、事前電圧印加部材の往復動で感光体の表面に均一に分散されるため、異物分散後の感光体の表面が帯電ローラに到達して当該帯電ローラの周面に移行しても、帯電ローラの周面は、異物が均一に付着した状態になる。従って、当該帯電ローラとの当接で帯電処理が施される感光体の表面の帯電状態が均一になり、これによって感光体の表面における帯電ムラの発生が有効に防止される。
【００１６】
このように、感光体の表面に当接している事前電圧印加部材を往復動機構により同表面の移動方向と直交する方向に向けて往復動させるようになされているため、感光体の表面に付着している異物は、この往復動によって同表面に均一に分散され、これによって感光体の表面に当接している帯電ローラの周面に感光体の表面の異物が均一に移行して帯電ローラから帯電処理を受ける感光体の表面には均一な電荷が形成されることになり、感光体の表面の帯電ムラに起因した画像ムラが確実に防止される。
【００１７】
請求項２記載の発明は、請求項１記載の発明において、前記感光体は、同心で設けられた所定のドラム軸回りに回転する感光体ドラムであることを特徴とするものである。
【００１８】
かかる構成によれば、感光体として感光体ドラムが採用されることにより、当該感光体ドラムをドラム軸回りに回転させることで感光体の移動が実現し、感光体の構造が簡単なものになる。
【００１９】
請求項３記載の発明は、請求項２記載の発明において、前記事前電圧印加部材は、所定のブラシ軸に同心かつ密集状態で植設されたブラシ毛を有する円筒状の導電性ブラシであり、この導電性ブラシは、前記ブラシ軸回りに駆動回転するように構成されていることを特徴とするものである。
【００２０】
かかる構成によれば、感光体ドラムの周面は、導電性ブラシのブラシ毛を介して電圧が印加されつつ、当該導電性ブラシのブラシ軸回りの回転によって付着している異物の一部がブラシ毛により掃き取られるとともに掃き取られなかった異物が有効に分散される。
【００２１】
請求項４記載の発明は、請求項２記載の発明において、前記事前電圧印加部材は、所定のブラシ軸の長手方向に延びる一面の略全面に亘って植設されたブラシ毛を有する導電性ブラシであり、この導電性ブラシは、前記ブラシ毛が感光体ドラムの表面に摺接するように構成されていることを特徴とするものである。
【００２２】
かかる構成によれば、感光体ドラムの表面は、導電性ブラシのブラシ毛を介して電圧が印加されつつ、感光体ドラムの表面に摺接するように往復動しているブラシ毛により付着していた異物が有効に分散される。
【００２３】
請求項５記載の発明は、請求項３または４記載の発明において、前記往復動機構は、前記ブラシ軸の一方の端部に同心で一体的に結合され外方側面がブラシ軸の軸心方向に対して傾斜した傾斜面を有するカム円盤と、前記ブラシ軸の他方の端部に設けられてブラシ軸を前記カム円盤の方向に向けて付勢する付勢手段と、前記ブラシ軸の軸心方向に対する移動が規制された状態で前記カム円盤の傾斜面に当接する当接片とを備えて構成されていることを特徴とするものである。
【００２４】
かかる構成によれば、導電性ブラシは、ブラシ軸の一方の端部に同心で一体に設けられたカム円盤の傾斜面に当接した当接片と、ブラシ軸の端部に設けられた付勢手段とによって押圧挟持された状態になっている。従って、導電性ブラシをブラシ軸回りに回転させることにより、当該導電性ブラシと同心かつ一体のカム円盤がブラシ軸回りに一体回転するため、当接片のカム円盤の傾斜面に対する当接位置が変化し、これによって導電性ブラシは付勢手段により付勢された状態で軸心方向に向けて往復動することになる。
【００２５】
このように、往復動機構を、ブラシ軸の軸心方向に対して傾斜した傾斜面を有するカム円盤と、ブラシ軸をカム円盤の方向に向けて付勢する付勢手段と、カム円盤の傾斜面に当接する当接片とを備えて構成することにより、当該往復動機構は、例えばシリンダ装置のピストンの往復動によって導電性部材を往復動させるもの等に比べて部品点数が少ない簡単な構造のものになる。
【００２６】
請求項６記載の発明は、請求項１乃至５のいずれかに記載の発明において、前記帯電ローラに電圧を印加する電源装置が設けられ、前記電源装置と前記帯電ローラとの間には、帯電ローラに供給される電流の値を一定に制御する定電流制御回路が介設されていることを特徴とするものである。
【００２７】
かかる構成によれば、異物が付着することにより帯電ローラの抵抗値が変動しても、定電流制御回路の作用によって帯電ローラに供給される電流は常に予め設定された所定の値に維持されるため（すなわち、電圧の値をＶ、電流の値をｉ、抵抗の値をＲとした場合、Ｖ＝ｉＲが成立し、電流値ｉが一定の場合、電圧値Ｖは抵抗値Ｒに比例して増減するため）、感光体表面の帯電状態の変動を抑止することができる。
【発明の効果】
【００２８】
請求項１記載の発明の発明によれば、感光体の表面に当接している事前電圧印加部材を往復動機構により同表面の移動方向と直交する方向に向けて往復動させるようになされているため、感光体の表面に付着している異物は、この往復動によって同表面に均一に分散されて感光体の表面に当接している帯電ローラの周面に均一に移行し帯電ローラから帯電処理を受ける感光体の表面には均一な電荷が形成され、これによって感光体の表面の帯電ムラに起因した画像ムラを確実に防止することができる。
【００２９】
請求項２記載の発明によれば、感光体として感光体ドラムが採用されているため、当該感光体ドラムをドラム軸回りに回転させることで感光体を移動させることができ、感光体の構造を簡単なものにすることができる。
【００３０】
請求項３記載の発明によれば、感光体ドラムの周面は、導電性ブラシのブラシ毛を介して電圧が印加されつつ、当該導電性ブラシのブラシ軸回りの回転によって付着している異物の一部がブラシ毛により掃き取られるとともに掃き取られなかった異物を感光体ドラムの周面に均一に分散させることができる。
【００３１】
請求項４記載の発明によれば、感光体ドラムの周面は、導電性ブラシのブラシ毛を介して電圧が印加されつつブラシ毛が摺接され、これによって周面に付着していた異物を有効に分散させることができる。
【００３２】
請求項５記載の発明によれば、導電性ブラシを往復動させる往復動機構を、ブラシ軸の軸心方向に対して傾斜した傾斜面を有するカム円盤と、ブラシ軸をカム円盤の方向に向けて付勢する付勢手段と、カム円盤の傾斜面に当接する当接片とを備えて構成することにより、当該往復動機構を、例えばシリンダ装置のピストンの往復動によって導電性部材を往復動させるもの等に比べて部品点数の少ない簡単な構造のものにすることができる。
【００３３】
請求項６記載の発明によれば、帯電ローラに電圧を印加する電源装置と帯電ローラとの間に電流の値を一定に制御する定電流制御回路が介設されているため、異物が付着することにより帯電ローラの抵抗値が変動しても、定電流制御回路の作用によって帯電ローラに供給される電流を常に予め設定された所定の値に維持することができる。従って、帯電ローラに印加される電圧は、帯電ローラの抵抗値に比例するものになり、これによって異物が付着することによる帯電ローラの抵抗値の変動に起因した感光体表面の帯電状態の変動を確実に防止することができ、常に安定した帯電状態を得ることができる。
【発明を実施するための最良の形態】
【００３４】
図１は、本発明に係るプリンタの一実施形態の内部構造を説明するための正面断面視の説明図である。この図に示すように、プリンタ（画像形成装置）１０は、印刷処理に供する用紙（被転写材）Ｐを貯留する用紙貯留部１２と、この用紙貯留部１２に貯留された用紙束Ｐ１から繰り出された１枚ずつの用紙Ｐに対して画像の転写処理を施す転写部１３と、この転写部１３で転写処理の施された用紙Ｐに対して定着処理を施す定着部１４とが装置本体１１に内装されると共に、定着部１４で定着処理の施された用紙Ｐが排紙される排紙部１５が装置本体１１の頂部に設けられることによって構成されている。
【００３５】
前記用紙貯留部１２には、所定数（本実施形態では１つ）の用紙カセット１２１が装置本体１１に対して挿脱自在に設けられている。用紙カセット１２１の上流端（図１の右方）には、用紙束Ｐ１から１枚ずつの用紙Ｐを繰り出させるピックアップローラ１２２が設けられている。このピックアップローラ１２２の駆動によって用紙カセット１２１から繰り出された用紙Ｐは、給紙搬送路１２３およびこの給紙搬送路１２３の下流端に設けられたレジストローラ対１２４を介して転写部１３に給紙されるようになっている。
【００３６】
前記転写部１３は、コンピュータ等から電送された画像情報に基づき用紙Ｐに転写処理を施すものであり、前後方向（図１の紙面と直交する方向）に延びるドラム心回りに回転可能に設けられた感光体ドラム１３１の周面に沿うように、帯電ローラ１３２、露光装置１３３、現像装置１３４、転写ローラ１３５、クリーニング装置１３６、導電性ブラシ（事前電圧印加部材）２０および除電ランプ（除電手段）１３７が配設されることによって形成されている。
【００３７】
本実施形態においては、帯電ローラ１３２が感光体ドラム１３１の直上位置に周面同士が当接状態で設けられ、この帯電ローラ１３２を基点として感光体ドラム１３１の周りに矢印で示す感光体ドラム１３１の回転方向である時計回り方向に向けて現像装置１３４，転写ローラ１３５、クリーニング装置１３６、導電性ブラシ２０および除電ランプ１３７が設けられているのに対し、露光装置１３３は、帯電ローラ１３２のさらに上方位置に設けられ、この露光装置１３３内の所定の光源から照射されたレーザー光線は、ミラー１３３ａで反射されて帯電ローラ１３２と現像装置１３４との隙間を介して感光体ドラム１３１の周面に照射されるようになっている。
【００３８】
前記感光体ドラム１３１は、前記露光装置１３３からのミラー１３３ａを介したレーザー光線の照射を受けて周面に静電潜像を形成させた後にこの静電潜像に沿ったトナー像を形成させるためのものであり、周面に感光層１３１ａ（図２）が積層され、これによってこれらの像を形成させるのに適したものになっている。かかる感光体ドラム１３１は、その中心位置に貫通されたドラム軸１３１ｂ回りに一体回転可能に軸支されている。
【００３９】
前記帯電ローラ１３２は、ドラム心回り時計方向に回転している感光体ドラム１３１の周面に一様な電荷を形成させるものであり、周面が感光体ドラム１３１の周面と当接しながら従動回転しつつ感光体ドラム１３１の周面に対して均一な帯電処理を施すようになっている。
【００４０】
前記露光装置１３３は、コンピュータ等の外部の機器から電送されてきた画像データに基づき強弱の付与されたレーザー光を回転している感光体ドラム１３１の周面に照射し、これによる感光体ドラム１３１周面のレーザー光が照査された部分の電荷の消去によって当該感光体ドラム１３１の周面に静電潜像を形成させるものである。
【００４１】
前記現像装置１３４は、感光体ドラム１３１の周面にトナーを供給することによって周面の静電潜像が形成された部分にトナーを付着させ、これによって感光体ドラム１３１の周面にトナー像を形成させるものである。
【００４２】
前記転写ローラ１３５は、感光体ドラム１３１の直下位置に送り込まれた用紙Ｐに対して当該感光体ドラム１３１の周面に形成されているプラスに帯電したトナー像を用紙Ｐに転写させるものであり、トナー像の電荷と逆極性であるマイナスの電荷を用紙Ｐに付与するようになっている。
【００４３】
従って、感光体ドラム１３１の直下位置に到達した用紙Ｐは、転写ローラ１３５と感光体ドラム１３１とによって押圧挟持されつつ、プラスに帯電した感光体ドラム１３１周面のトナー像がマイナスに帯電した用紙Ｐの表面に向けて引き剥がされ、これによって用紙Ｐに対し転写処理が施されることになる。
【００４４】
前記クリーニング装置１３６は、転写処理後の感光体ドラム１３１の周面に残留しているトナーを取り除いて清浄化するためのものである。このクリーニング装置１３６によって清浄化された感光体ドラム１３１の周面は、除電ランプ１３７を介して次の画像形成処理のために再び帯電ローラ１３２へ向かうことになる。
【００４５】
前記導電性ブラシ２０は、クリーニング装置１３６によって清浄化処理された感光体ドラム１３１の周面に、前記帯電ローラ１３２により次の画像形成処理を対象として再度電圧が印加されるに先立って予め同一極性でかつ同一電圧の電圧を軸方向に往復動しながら印加するとともに、クリーニング装置１３６に設けられた図略のブレードと感光体ドラム１３１の周面との間を潜り抜けた異物（例えばトナーに混入されているサブミクロンオーダの磁性微細粒子等の外添剤）を感光体ドラム１３１の周面に全体的に行き渡るように均一に均すためのものである。かかる導電性ブラシ２０の詳細については後に詳述する。
【００４６】
前記除電ランプ１３７は、事前に導電性ブラシ２０によって電圧の印加された感光体ドラム１３１の周面に対し光を照射することにより、一旦感光体ドラム１３１の周面に形成された電荷を消去するものである。かかる除電ランプ１３７による感光体ドラム１３１の帯電状態の消滅によって、感光体ドラム１３１周面は、帯電ローラ１３２による均一な帯電処理が施されることになる。
【００４７】
前記定着部１４は、転写部１３によって転写処理の施された用紙Ｐのトナー像に加熱による定着処理を施すものであり、用紙Ｐに熱を加えるヒートローラ１４１と、周面がこのヒートローラ１４１に当接した状態で当該ヒートローラ１４１の下部に対向配置された加圧ローラ１４２とを備えて構成されている。そして、転写処理後の用紙Ｐは、ヒートローラ１４１と加圧ローラ１４２との間に形成されたニップ部Ｎへ向けて送り込まれ、当該ニップ部Ｎを通過することによって、ヒートローラ１４１からの熱を得て定着処理が施されるようになっている。定着処理の施された用紙Ｐは、排紙搬送路１４３を通って排紙部１５へ排出されることになる。
【００４８】
前記排紙部１５は、装置本体１１の頂部が凹没されることによって形成され、この凹没した凹部の底部に排紙された用紙Ｐを受ける排紙トレイ１５１が形成されている。
【００４９】
図２は、感光体ドラム１３１周りの拡大説明図である。図２に示すように、前記帯電ローラ１３２は、周面が感光体ドラム１３１の周面（すなわち感光層１３１ａ）に当接された状態で、直流電源装置Ｅからの電圧を感光層１３１ａへ印加するものであり、金属製の帯電ローラ軸１３２ａと、この帯電ローラ軸１３２ａに同心で一体的に外嵌されたエラストマー等の誘電材料製の帯電ローラ本体１３２ｂとからなっている。直流電源装置Ｅからの電圧は、金属製の帯電ローラ軸１３２ａに印加され、これによって感光層１３１ａの表面は、誘電材料からなる帯電ローラ本体１３２ｂを介して静電気的に帯電されるようになっている。
【００５０】
前記直流電源装置Ｅには所定の定電流制御回路Ｅ１が設けられ、帯電ローラ１３２へはこの定電流制御回路Ｅ１を介して予め設定された一定の値（基準電流値ｉ）の直流電流が供給されるようになっている。従って、帯電ローラ本体１３２ｂの抵抗値Ｒが変動すると、この抵抗値Ｒの変動に比例して帯電ローラ本体１３２ｂの周面の電圧値Ｖ（Ｖ＝ｉＲ）が変動することになる。
【００５１】
このような定電流制御が採用されるのは、帯電ローラ本体１３２ｂの周面に異物が付着して当該帯電ローラ本体１３２ｂの抵抗値Ｒが増大した場合、感光層１３１ａが適正に所定のレベルで帯電されなくなるため、かかる不都合を解消するべく抵抗値Ｒに比例して電圧値Ｖを上昇させるためである。
【００５２】
そして、本実施形態においては、帯電ローラ本体１３２ｂとしてｌｏｇＲの値が「５〜１０」のものが採用されている。
【００５３】
前記導電性ブラシ２０は、円筒状を呈し、前記感光体ドラム１３１の長さ寸法より若干長めに設定された金属製のブラシ軸２１と、このブラシ軸２１の周面に同心で径方向に向かって密集状態で植設されたブラシ毛２２とを備えて構成されている。かかる導電性ブラシ２０は、ブラシ毛２２の先端が感光体ドラム１３１の感光層１３１ａに当接するように設置位置が設定されている。そして、前記ブラシ毛２２としては、所定の合成樹脂に金属繊維やカーボンブラックなどの導電性微細粒子を分散させて導電性を付与したものが採用されている。
【００５４】
かかる導電性ブラシ２０には、直流電源装置Ｅからの電圧が印加されるようになされている。このようにされるのは、次の転写処理に備えて感光体ドラム１３１の周面が帯電ローラ１３２によって再生のための帯電処理が施されるのに先立ち、予め感光体ドラム１３１の周面に帯電処理を施し、これによって感光体ドラム１３１の周面に一旦所定の極性の電荷を形成させ、これによって転写ローラ１３５から受けた感光体ドラム１３１周面の逆極性の転写メモリを相殺するためである。
【００５５】
一旦この相殺が行われた感光体ドラム１３１の周面の帯電状態が除電ランプ１３７の照射で消去されることにより、転写ローラ１３５による感光体ドラム１３１周面の転写メモリの影響が帯電ローラ１３２による感光体ドラム１３１の帯電処理に影響しなくなり、感光層１３１ａに対して適正な帯電処理を施すことができる。
【００５６】
そして本実施形態においては、帯電ローラ１３２の場合と同様に、直流電源装置Ｅからブラシ軸２１に供給される電圧は、定電流制御回路Ｅ１を介して定電流制御されたものが印加されるようになされている。このようにされる理由は、帯電ローラ１３２の場合と同様である。また、本実施形態においては、導電性ブラシ２０の抵抗値Ｒは、前記帯電ローラ本体１３２ｂのそれと同様（ｌｏｇＲの値が「５〜１０」）に設定されている。
【００５７】
また、感光層１３１ａに帯電処理を施すためにブラシ毛２２が採用されているのは以下の理由による。すなわち、クリーニング装置１３６によって清浄化処理が施された感光体ドラム１３１の周面には、トナーに混入された粒径がサブミクロンオーダの外添剤（シリカやチタン等）が残留している場合があるため、かかる異物を当該ブラシ毛２２によって掃き散らすためである。
【００５８】
そして、本発明においては、導電性ブラシ２０をブラシ軸２１回りに回転させながら感光体ドラム１３１の周面の移動方向と直交する方向へ当該周面に沿わせて往復動させるようになっている。導電性ブラシ２０を往復動させる理由は以下のとおりである。すなわち、感光体ドラム１３１の周面においてクリーニング装置１３６の図略のブレードをすり抜けた前記外添剤等の異物であって、導電性ブラシ２０によって拭い取られなかったものは、感光体ドラム１３１の回転に応じて帯電ローラ１３２の周面に到達して当該周面に移行することがあり、異物が帯電ローラ１３２の周面に付着すると、帯電ローラ本体１３２ｂの抵抗値が不均一になってしまい、これによって感光体ドラム１３１の周面に対し均一な帯電処理が行い得なくなる、いわゆる帯電ムラが発生してしまうという不都合が生じる。
【００５９】
一方、たとえ帯電ローラ本体１３２ｂの周面に異物が付着していても、その付着状態が均一である場合には、感光体ドラム１３１の周面で帯電ムラが生じないことが種々の試験の結果見出された。
【００６０】
そこで、本発明においては、従来のように帯電ローラ本体１３２ｂの周面の汚れを帯電ローラ１３２専用のブラシローラで取り除く代わりに、帯電ローラ本体１３２ｂの周面に均等に異物を付着させるべく、前段階で導電性ブラシ２０を軸心方向に向けて往復動させ、これによって感光体ドラム１３１の周面に残留している異物を周りに散らして異物の付着状態を均一化させているのである。こうすることによって、感光体ドラム１３１周面の全面に亘る均一な汚れは、帯電ローラ本体１３２ｂの周面に均一な状態で移行するため、当該帯電ローラ本体１３２ｂから電荷が付与された感光体ドラム１３１の周面は、帯電ムラがない状態で帯電されることになる。
【００６１】
因みに、従来、同一の画像情報に基づいて用紙Ｐの多数枚に転写処理を施すような場合、感光体ドラム１３１の周面における同一の位置にクリーニング装置１３６のブレードをすり抜けた外添剤（異物）が集中することになり、その結果、帯電ローラ本体１３２ｂの周面は偏って外添剤によって汚染された状態になるため、この汚染部分と汚染されていない部分との抵抗値のアンバランスに起因して感光体ドラム１３１の周面の帯電状態が不均一になり、これによって画像不良の生じることが確認されている。
【００６２】
以下、図３および図４を基に導電性ブラシ２０を水平方向に向けて往復動させる往復動機構３０について説明する。図３は、往復動機構３０の一実施形態を説明するための導電性ブラシ２０の斜視図であり、図４は、図３に示す往復動機構３０のＡ線視の説明図である。なお、図３および図４において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００６３】
これらの図に示すように、往復動機構３０は、前記ブラシ軸２１の一方の端部（図３に示す例では左方の端部）に同心で一体的に結合され外方側面がブラシ軸２１の軸心方向に対して傾斜した傾斜面４１を有するカム円盤４０と、前記ブラシ軸２１の他方の端部（図３に示す例では右方の端部）に設けられてブラシ軸２１を前記カム円盤４０の方向に向けて付勢するコイルスプリング（付勢手段）５０と、前記ブラシ軸２１の軸心方向に対する移動が規制された状態で前記カム円盤４０の傾斜面４１に当接する当接部材６０と、前記導電性ブラシ２０をブラシ軸２１周りに駆動回転させる駆動力伝達機構７０とを備えて構成されている。
【００６４】
前記カム円盤４０に形成された傾斜面４１は、所定の円柱体を軸心方向に対して斜めに切断下状態で形成されている。
【００６５】
前記コイルスプリング５０は、ブラシ毛２２から右側に向けて突出したブラシ軸２１に外嵌され、左側の端部が当該ブラシ軸２１に設けられたフランジ２１１に圧縮状態で当止されている一方、右側の端部がプリンタ１０の装置本体１１（図１）内に設けられた図略のフレームに当止されている。従って、導電性ブラシ２０は、コイルスプリング５０の付勢力によって左方に向けて付勢され、カム円盤４０を介し当接部材６０に受けられることにより左方への移動が規制された状態になっている。
【００６６】
前記当接部材６０は、前記カム円盤４０の若干左方位置に位置した状態で装置本体１１の所定のフレームに固定された台座６１と、この台座６１からカム円盤４０の傾斜面４１へ向かって突設された当接片６２とからなっている。当接片６２の先端は半球状（図５参照）に形成され、これによって当接片６２の先端とカム円盤４０の傾斜面４１との間の摺接が円滑に行われるようになっている。
【００６７】
前記駆動力伝達機構７０は、図３および図４に示すように、感光体ドラム１３１の後方位置において駆動軸７１１が左右方向（図４の紙面に直交する方向）に延びるように所定のフレームに据え付けられた駆動モータ７１と、この駆動モータ７１の駆動軸７１１に同心で一体回転可能に外嵌された駆動ギヤ７２と、前記ドラム軸１３１ｂに同心で一体回転可能に外嵌され、かつ、前記駆動ギヤ７２に噛合するドラムギヤ７３と、同心でアイドル軸７４１回りに回転自在に軸支されたアイドルギヤ７４と、前記ブラシ軸２１に同心で一体回転可能に外嵌されたブラシギヤ７５とを備えて構成されている。
【００６８】
そして、本実施形態においては、導電性ブラシ２０の周速度が感光体ドラム１３１の周速度より速くなるようにドラムギヤ７３とブラシギヤ７５とのギヤ比が設定され、これによって導電性ブラシ２０は、同一方向に向けて感光体ドラム１３１より速い周速度でブラシ軸２１回りに回転するようになっている。
【００６９】
このように構成された駆動力伝達機構７０によれば、駆動モータ７１を駆動させることにより、その駆動は、駆動ギヤ７２を介してドラムギヤ７３に伝達され、これによって感光体ドラム１３１がドラム軸１３１ｂ回りに回転するとともに、この駆動回転は、ドラムギヤ７３，アイドルギヤ７４およびブラシギヤ７５を介して導電性ブラシ２０に伝達され、これによって導電性ブラシ２０が感光体ドラム１３１の周速度より速い周速度でブラシ軸２１回りに回転する。この導電性ブラシ２０の回転で感光体ドラム１３１の周面がブラシ毛２２により清拭されることになる。
【００７０】
図５は、往復動機構３０の作用を説明するための説明図であり、（イ）は、導電性ブラシ２０が中間位置Ｔ０に位置した状態、（ロ）は、導電性ブラシ２０が左方位置Ｔ１に位置した状態、（ハ）は、導電性ブラシ２０が右方位置Ｔ２に位置した状態をそれぞれ示している。なお、図５におけるＸによる方向表示は、図３の場合と同様（Ｘは左右方向（−Ｘ：左方、＋Ｘ：右方））である。
【００７１】
まず、図５の（イ）に示す状態では、導電性ブラシ２０は、当接片６２の先端がカム円盤４０の楕円形を呈する傾斜面４１の一方の短軸位置（図５の（イ）に示す例では傾斜面４１が正面視で負の傾斜になった状態での前方側（図５の紙面の表側）の短軸位置）に当接した状態でコイルスプリング５０の付勢力により当接片６２に向けて押圧され、これによってブラシ毛２２が感光体ドラム１３１と対向した中間位置Ｔ０に位置している。
【００７２】
この状態で導電性ブラシ２０が右方側から見てブラシ軸２１回りに時計方向に向けて９０°回転すると、導電性ブラシ２０がコイルスプリング５０によって押圧されることにより、当接片６２の先端が傾斜面４１の一方の長軸位置に当接され、これによって導電性ブラシ２０は、図５の（ロ）に示すように、左方位置Ｔ１に移動した状態になる。
【００７３】
ついで、導電性ブラシ２０が左方位置Ｔ１に位置してから導電性ブラシ２０の時計回りの回転が継続されると、カム円盤４０の傾斜面４１がコイルスプリング５０の付勢力に抗して当接片６２の先端により相対的に右方へ向けて押圧されていく。そして、導電性ブラシ２０が図５の（ロ）に示す状態から時計方向に向けて１８０°回転されると、図５の（ハ）に示すように当接片６２の先端が傾斜面４１の他方の長軸位置に当接することになり、これによって導電性ブラシ２０は右方位置Ｔ２に位置した状態になる。
【００７４】
従って、駆動モータ７１（図３）の駆動で導電性ブラシ２０のブラシ軸２１回りの回転を継続すると、導電性ブラシ２０は、図５の（ロ）に示す左方位置Ｔ１と、図５の（ハ）に示す右方位置Ｔ２との間で往復動することになる。
【００７５】
以上詳述したように、本発明に係るプリンタ１０は、ドラム軸１３１ｂ回りに回転する感光体ドラム１３１の周面に当接した状態で当該感光体ドラム１３１の周面に帯電処理を施す帯電ローラ１３２と、感光体ドラム１３１の帯電ローラ１３２より上流側に設けられて当該感光体ドラム１３１の帯電状態を除電する除電ランプ１３７とを備えてなるものであり、感光体ドラム１３１における除電ランプ１３７の上流側に設けられ当該感光体ドラム１３１の周面に当接して当該周面に帯電ローラ１３２と同一極性の電圧を印加する導電性ブラシ２０と、導電性ブラシ２０を感光体ドラム１３１の周面の移動方向と直交する方向でかつ周面と平行な方向に向けて往復動させる往復動機構３０とを備えて構成されている。
【００７６】
かかる構成によれば、ドラム軸１３１ｂ回りに回転している感光体ドラム１３１の周面（感光層１３１ａの表面）には、当接している帯電ローラ１３２からの電圧が印加されるため、感光体ドラム１３１の周面に順次帯電処理が施されて静電潜像が形成される。この静電潜像にトナーが供給されてトナー像が形成され、このトナー像は、所定の用紙Ｐに転写処理される。
【００７７】
その後、転写処理後の感光体ドラム１３１の周面は、クリーニング装置１３６でクリーニング処理が施された後、往復動機構３０によって感光体ドラム１３１の周面の移動方向と直交する方向でかつ同周面と平行な方向に向けて往復動している導電性ブラシ２０によって帯電ローラ１３２と同一極性の電圧が印加され、これによって感光体ドラム１３１の周面は、一旦帯電ローラ１３２による電圧印加に先立って帯電処理が施される。従って、感光体ドラム１３１の周面にたとえ逆極性の転写メモリが形成されていてもこの転写メモリは相殺されることになるため、引き続き感光体ドラム１３１の周面は、除電ランプ１３７によって除電処理が施された後、再度帯電ローラ１３２によって次の画像形成に向けた一様な帯電処理が施されることになる。
【００７８】
そして、導電性ブラシ２０が往復動機構３０によって感光体ドラム１３１の移動方向と直交する方向に向けて往復動し、これによってたとえ感光体ドラム１３１の周面に外添剤等の異物が付着していても、この異物は、導電性ブラシ２０の往復動で感光体ドラム１３１の周面に均一に分散されるため、異物分散後の感光体ドラム１３１の周面が帯電ローラ１３２に到達して当該帯電ローラ１３２の周面に移行しても、帯電ローラ１３２の周面は、異物が均一に付着した状態になる。従って、当該帯電ローラ１３２との当接で帯電処理が施される感光体ドラム１３１の周面の帯電状態が均一になり、これによって感光体ドラム１３１の周面における帯電ムラの発生が有効に防止される。
【００７９】
このように、感光体ドラム１３１の周面に当接している導電性ブラシ２０を往復動機構３０により同周面の移動方向と直交する方向に向けて往復動させることにより、感光体ドラム１３１の周面に付着している異物は、この往復動によって同周面に均一に分散されて感光体ドラム１３１の周面に当接している帯電ローラ１３２の周面に均一に移行し帯電ローラ１３２から帯電処理を受ける感光体ドラム１３１の周面には均一な電荷が形成され、これによって感光体ドラム１３１の周面の帯電ムラに起因した画像ムラを確実に防止することができる。
【００８０】
また、上記の実施形態においては、感光体として、同心で設けられたドラム軸１３１ｂ回りに回転する感光体ドラム１３１が採用されているため、当該感光体ドラム１３１をドラム軸１３１ｂ回りに回転させることで感光体の表面を移動させることができ、感光体の構造を簡単なものにすることができる。
【００８１】
また、本実施形態においては、事前電圧印加部材として、ブラシ軸２１に同心かつ密集状態で植設されたブラシ毛２２を有する導電性ブラシ２０が採用され、この導電性ブラシ２０は、ブラシ軸２１回りに駆動回転するように構成されているため、感光体ドラム１３１の周面は、導電性ブラシ２０のブラシ毛２２を介して電圧が印加されつつ、当該導電性ブラシ２０のブラシ軸２１回りの回転によって付着している異物の一部がブラシ毛２２により掃き取られるとともに掃き取られなかった異物を感光体ドラム１３１の周面に均一に分散させることができる。
【００８２】
また、往復動機構３０は、ブラシ軸２１の一方の端部に同心で一体的に結合され外方側面がブラシ軸２１の軸心方向に対して傾斜した傾斜面４１を有するカム円盤４０と、ブラシ軸２１の他方の端部に設けられてブラシ軸２１をカム円盤４０の方向に向けて付勢するコイルスプリング５０と、ブラシ軸２１の軸心方向に対する移動が規制された状態でカム円盤４０の傾斜面４１に当接する当接片６２とを備えて構成されている。
【００８３】
かかる往復動機構３０によれば、導電性ブラシ２０は、ブラシ軸２１の一方の端部に同心で一体に設けられたカム円盤４０の傾斜面４１に当接した当接片６２と、ブラシ軸２１の端部に設けられたコイルスプリング５０とによって押圧挟持された状態になっており、従って、導電性ブラシ２０をブラシ軸２１回りに回転させることにより、当該導電性ブラシ２０と同心かつ一体のカム円盤４０がブラシ軸２１回りに一体回転するため、当接片６２のカム円盤４０傾斜面４１に対する当接位置が変化し、これによって導電性ブラシ２０をコイルスプリング５０により付勢された状態で軸心方向に向けて往復動させることができる。
【００８４】
このように、導電性ブラシ２０を往復動させる往復動機構３０を、ブラシ軸２１の軸心方向に対して傾斜した傾斜面４１を有するカム円盤４０と、ブラシ軸２１をカム円盤４０の方向に向けて付勢するコイルスプリング５０と、カム円盤４０の傾斜面４１に当接する当接片６２とで構成することにより、当該往復動機構３０を、例えばシリンダ装置のピストンの往復動によって導電性部材を往復動させるもの等に比べて部品点数の少ない簡単な構造のものにすることができる。
【００８５】
さらに、上記の実施形態においては、帯電ローラ１３２に電圧を印加する直流電源装置Ｅが設けられ、この直流電源装置Ｅと帯電ローラ１３２との間には、帯電ローラ１３２に供給される電流の値を一定に制御する定電流制御回路Ｅ１が介設されているため、異物が付着することにより帯電ローラ１３２の抵抗値が変動しても、定電流制御回路Ｅ１の作用によって帯電ローラ１３２に供給される電流を常に予め設定された所定の値に維持することができる。従って、帯電ローラ１３２に印加される電圧は、帯電ローラ１３２の抵抗値に比例するものになり、これによって異物が付着することによる帯電ローラ１３２の抵抗値の変動に起因した感光体ドラム１３１周面の帯電状態の変動を確実に防止することができ、常に安定した帯電状態を得ることができる。
【００８６】
また、本発明においては、導電性ブラシ２０の往復動によって感光体ドラム１３１の周面に付着した異物を分散させることで帯電ローラ１３２の周面に移行する異物の付着状態を均一にし、これによって帯電ローラ１３２により帯電処理される感光体ドラム１３１の周面に均一な電荷が形成されるようにしているため、特に帯電ローラ１３２に直流電圧に交流電圧が重畳された、いわゆる重畳電圧を印加するような複雑な方策を採用したり、帯電ローラ１３２の周面をクリーニング処理するクリーナーを設けたりすることなく、感光体ドラム１３１の周面の帯電ムラを解消することができ、エネルギーコストおよび部品コストの低減化に貢献することができる。
【００８７】
本発明は上記の実施形態に限定されるものではなく、以下の内容をも包含するものである。
【００８８】
（１）上記の実施形態においては、画像形成装置としてプリンタ１０を挙げているが、本発明は、画像形成装置がプリンタ１０であることに限定されるものではなく、複写機やファクシミリ装置であってもよい。
【００８９】
（２）上記の実施形態においては、感光体として感光体ドラム１３１が採用されているが、感光体ドラム１３１に代えて一対のローラ間に張設された感光体ベルトを採用してもよい。
【００９０】
（３）上記の実施形態においては、定電流制御によって常に一定の値の電流が帯電ローラ１３２に供給され、これによって帯電ローラ１３２の抵抗値に比例した電圧が帯電ローラ１３２に印加されるようにしているが、こうする代わりに帯電ローラ１３２の周面の一般的な汚染の状況を勘案して予め設定された時間が経過すると、この時間の経過に応じて自動的に電圧値を上昇させるようにしてもよい。
【００９１】
（４）上記の実施形態においては、事前電圧印加部材として導電性ブラシ２０が採用されているが、本発明は、事前電圧印加部材が導電性ブラシ２０であることに限定されるものではなく、事前電圧印加用に調製された導電性を有するブレードやシート体であってもよい。
【００９２】
（５）上記の実施形態においては、導電性ブラシ２０として駆動力伝達機構７０によりブラシ軸２１回りに駆動回転される円筒状のものが採用されているが、これに代えてブラシ軸の長手方向に延びる一面の略全面に亘って植設されたブラシ毛を有する歯ブラシ状の導電性ブラシを採用してもよい。こうすることによって感光体ドラムの周面は、導電性ブラシのブラシ毛を介して電圧が印加されつつ、軸心方向に向けて往復動しているブラシ毛が摺接され、周面に付着していた異物を有効に分散させることができる。
【実施例１】
【００９３】
本発明の効果を確認するためにプリンタ１０の実機を用いた効果確認試験を実施した。このプリンタ１０の感光体ドラム１３１は、周面がプラスに帯電される感光層１３１ａ（本実施例では有機感光体が適用されている）を有するものが採用されている。
【００９４】
また、帯電ローラ１３２として、帯電ローラ本体１３２ｂがゴム製で抵抗値Ｒの対数値（ｌｏｇＲ）が６．０のものを採用した。かかる帯電ローラ本体１３２ｂに１２００Ｖの直流電圧を印加するようにした。
【００９５】
また、導電性ブラシ２０としては、抵抗値Ｒの対数値（ｌｏｇＲ）が８．０のものを採用した。かかる導電性ブラシ２０の往復動の振幅値は、２．０ｍｍに設定されている。この導電性ブラシ２０にも帯電ローラ１３２と同様の値の直流電圧が印加されるようになっている。
【００９６】
このような仕様のプリンタ１０を用い、所定の画像情報に基づいて１００，０００枚の用紙Ｐに対し連続的に印字処理を施すとともに、出力された１枚ずつの用紙を目視確認したが、いずれにも画像ムラは存在しなかった。
【００９７】
また、感光体ドラム１３１の周面が用紙Ｐを介して転写ローラ１３５と当接することにより感光体ドラム１３１の周面に形成された転写メモリが帯電ローラ１３２の手前で消去されているか否かについても調べたが、消去されていることが確認された。
【００９８】
一方、比較例として導電性ブラシ２０を往復動させないことを除き前記実施例と全く同一の条件で１００，０００枚の用紙Ｐに対し印字処理を施した。出力された用紙Ｐを目視確認したところ、略２，０００枚の印字処理が終わった時点から印字画像にムラの出だしたことが認められた。そして、印字処理が終わった１００，０００枚目の用紙Ｐにおいては、画像ムラが顕著になっていることが確認された。
【００９９】
これらの実機を用いた試験の試験結果により、導電性ブラシ２０を往復動させる本願発明は、画像ムラを確実に防止することができるとともに、一旦感光体ドラム１３１の周面に形成された転写メモリを確実に消去することができる優れた効果を備えたものであることを確認することができた。
【図面の簡単な説明】
【０１００】
【図１】本発明に係るプリンタの一実施形態の内部構造を説明するための正面断面視の説明図である。
【図２】感光体ドラム周りの拡大説明図である。
【図３】往復動機構の一実施形態を説明するための導電性ブラシの斜視図である。
【図４】図３に示す往復動機構のＡ線視の説明図である。
【図５】往復動機構の作用を説明するための説明図であり、（イ）は、導電性ブラシが中間位置に位置した状態、（ロ）は、導電性ブラシが左方位置に位置した状態、（ハ）は、導電性ブラシが右方位置に位置した状態をそれぞれ示している。
【符号の説明】
【０１０１】
１０  プリンタ（画像形成装置）
１１  装置本体              １２  用紙貯留部
１２１  用紙カセット        １２２  ピックアップローラ
１２３  給紙搬送路          １２４  レジストローラ対
１３  転写部                １３１  感光体ドラム
１３１ａ  感光層            １３１ｂ  ドラム軸
１３２  帯電ローラ          １３２ａ  帯電ローラ軸
１３２ｂ  帯電ローラ本体    １３３  露光装置
１３３ａ  ミラー            １３４  現像装置
１３５  転写ローラ          １３６  クリーニング装置
１３７  除電ランプ（除電手段）
１４  定着部                １５  排紙部
１５１  排紙トレイ          １４１  ヒートローラ
１４２  加圧ローラ          １４３  排紙搬送路
１５  排紙部                ２０  導電性ブラシ（事前電圧印加部材）
２１  ブラシ軸              ２１１  フランジ
２２  ブラシ毛              ３０  往復動機構
４０  カム円盤              ４１  傾斜面
５０  コイルスプリング（付勢手段）
６０  当接部材              ６１  台座
６２  当接片                ７０  駆動力伝達機構
７１  駆動モータ            ７１１  駆動軸
７２  駆動ギヤ              ７３  ドラムギヤ
７４  アイドルギヤ          ７４１  アイドル軸
７５  ブラシギヤ            Ｅ  直流電源装置
Ｅ１  定電流制御回路        Ｎ  ニップ部
Ｐ  用紙                    Ｐ１  用紙束
Ｔ０  中間位置              Ｔ１  左方位置
Ｔ２  右方位置
【図１】
2006330453.tif 000003
【図２】
2006330453.tif 000004
【図３】
2006330453.tif 000005
【図４】
2006330453.tif 000006
【図５】
2006330453.tif 000007